(57)【要約】      （修正有）【課題】使用者が恰も他者に抱付いているか、或いは、他者に抱かれているかのような感覚、すなわち、他者と添い寝しているという感覚によって安心感を得ることのできる抱き枕を提供する。【解決手段】使用者が就寝時に抱いて使用する抱き枕１であって、綿状繊維体を内側に備えたエアバッグ３と、当該エアバッグ３の表面に設けたクッション性素材の抱き枕本体４と、前記エアバッグ３にエアを給排気するエアポンプ５と、当該エアポンプ５への給排気を制御する制御部６とからなる。【選択図】図１
0003194451.tif 000002
【実用新案登録請求の範囲】
【請求項１】
使用者が就寝時に抱いて使用する抱き枕であって、綿状繊維体を内側に備えたエアバッグと、当該エアバッグの表面に設けたクッション性素材の抱き枕本体と、前記エアバッグにエアを給排気するエアポンプと、当該エアポンプへの給排気を制御する制御部とからなることを特徴とする抱き枕。
【請求項２】
前記エアバッグは、前記制御部によって前記エアポンプからのエアの給排気が制御され、当該エアバッグの膨縮時のエア充填率の範囲を５０％〜１００％とし、且つ、夫々３秒〜７秒間の給気時間と排気時間とを反復させることによって当該エアバッグを前記範囲内で繰り返し膨縮させることを特徴とする請求項１に記載の抱き枕。
【請求項３】
前記抱き枕本体は、音声出力部が設けられ、当該音声出力部から羊水の音又は心拍音等の人体から発せられる音が出力されることを特徴とする請求項１又は２のいずれかに記載の抱き枕。
【請求項４】
前記クッション性素材の抱き枕本体は、低反発素材からなることを特徴とする請求項１乃至３のいずれかに記載の抱き枕。
【考案の詳細な説明】
【技術分野】
【０００１】
本考案は、使用者が就寝時に抱付いて使用する抱き枕に関する。
【背景技術】
【０００２】
従来、寝付きが良くなる抱き枕として、使用者の呼吸を検知するセンサを設け、当該センサの信号によって使用者の呼吸間隔を算出し、また、抱き枕にモータ駆動で径方向に膨縮運動を行う膨張収縮装置が内蔵され、前記使用者の呼吸間隔に対応して、前記モータの回転数を使用者の呼吸数に合わせることにより、使用者自身の呼吸数と同期する膨張収縮装置の膨縮運動によって就寝時の使用者が安心感を得ることができ、寝付きが良くなる抱き枕が提供されている（特許文献１）。
【０００３】
また、枕本体に温熱源を内装して構成され、寒い時期に抱き抱えるときには、予め温熱源を発熱させ、全体を温めて使用することにより、寒い時期でも温かく抱き心地のよい抱き枕が開示されている（特許文献２）。
【先行技術文献】
【特許文献】
【０００４】
【特許文献１】特許第５２２５４９５号公報
【特許文献２】実用新案登録第３０６９１１６号公報
【考案の概要】
【考案が解決しようとする課題】
【０００５】
しかしながら、特許文献１に記載の技術では、使用者自身の呼吸間隔に対応して膨張収縮装置が膨縮運動するため、その同期によって安心感を得ることができるとはいうものの、人の呼吸はおよそ１分間に１５〜１８回行われることから、前記膨張収縮装置が約３．３秒〜４秒間隔で膨縮運動を繰り返してしまい、使用者によってはこのように頻繁に繰り返す膨縮運動を煩わしく思う場合もある。また、当該膨張収縮装置の膨縮運動が使用者自身の呼吸間隔と同期するため、他者と添い寝しているという安心感を得ることは困難である。
【０００６】
また、特許文献２に記載の技術では、当該抱き枕を抱き抱えて就寝すると、温熱源によって温もりを感じ、他人と添い寝しているという感覚を得ることができるともいえるが、単に温熱源によって温められた抱き枕を抱き抱えるだけでは、例えば、湯たんぽを抱き抱えて就寝すれば他者と添い寝しているという感覚を得るのは困難であるように、当該抱き枕においても矢張りそのような感覚によって安心感を得ることはできない。
【０００７】
そこで、本考案は、使用者が恰も他者に抱付いているか、或いは、他者に抱かれているかのような感覚、すなわち、他者と添い寝しているという感覚によって安心感を得ることのできる抱き枕を提供することを課題とした。
【課題を解決するための手段】
【０００８】
上記課題を解決するために、本考案は次のように構成した。すなわち、本考案に係る請求項１に記載の考案は、使用者が就寝時に抱いて使用する抱き枕であって、綿状繊維体を内側に備えたエアバッグと、当該エアバッグの表面に設けたクッション性素材の抱き枕本体と、前記エアバッグにエアを給排気するエアポンプと、当該エアポンプへの給排気を制御する制御部とからなることを特徴としている。
【０００９】
また、請求項２に記載の考案は、前記エアバッグが、前記制御部によって前記エアポンプからのエアの給排気が制御され、当該エアバッグの膨縮時のエア充填率の範囲を５０％〜１００％とし、且つ、夫々３秒〜７秒間の給気時間と排気時間とを反復させることによって当該エアバッグを前記範囲内で繰り返し膨縮させることを特徴としている。
【００１０】
また、請求項３に記載の考案は、前記抱き枕本体に、音声出力部が設けられ、当該音声出力部から羊水の音又は心拍音等の人体から発せられる音が出力されることを特徴としている。
【００１１】
また、請求項４に記載の考案は、前記クッション性素材の抱き枕本体が、低反発素材からなることを特徴としている。
【考案の効果】
【００１２】
本考案に係る請求項１に記載の抱き枕によれば、前記エアバッグの内側に綿状繊維体を備えたことにより、当該エアバッグ内のエアを排気させても、当該エアバッグが完全に萎れることなく、所定の膨張状態を維持することができるため、使用者が恰も他者に抱付いた感覚を得ることができ、且つ、当該エアバッグがエアポンプからの給排気によって人が呼吸するかのように膨縮する。これにより、使用者が当該抱き枕に抱付いて就寝すれば、恰も他者に抱付いているか、或いは、他者に抱かれているかのような感覚、すなわち、他者と添い寝しているという感覚によって安心感を得ることができるため、当該抱き枕は、使用者に対して心地の良い眠りを提供することができる。
【００１３】
また、請求項２に記載の抱き枕によれば、綿状繊維体をエアバッグの内側に備え、当該エアバッグの最小縮小時のエアの充填率を約５０％に維持させ、また、制御部によりエアバッグの最大膨張時のエアの充填率を約１００％になるように制御することにより、一般成人の呼吸時の肺の膨縮運動に近い充填率でエアバッグを膨縮させることができる。
【００１４】
また、当該抱き枕のエアバッグは、夫々３秒〜７秒間の給気時間と排気時間とを反復させ、すなわち、給気時間と排気時間とを合わせた約６秒〜１４秒の間隔で反復して膨縮するように構成されている。これは、一般成人の呼吸間隔３．３秒〜４秒に比べると約２〜４倍の長さで比較的ゆっくりとした膨縮運動を行うように構成されている。すなわち、人が他者の呼吸速度から感じ得る感覚は、ゆっくりとした呼吸速度からは安心感やリラックス感を感じ取ることができ、逆に、速い呼吸速度からは焦りやストレスを感じ取ってしまうところ、当該抱き枕では、一般成人の呼吸間隔よりも比較的ゆっくりとした体感し得る呼吸間隔でエアバッグを膨縮させることにより、他者と添い寝しているという安心感だけでなく、さらなる安心感とリラックス感をも得ることができる。これにより、当該抱き枕は、使用者に対してさらに心地の良い眠りを提供することができる。
【００１５】
また、請求項３に記載の抱き枕によれば、音声出力部によって人体から発せられる音が当該抱き枕から出力されることにより、他者と添い寝している感覚を使用者の聴覚からも得ることができる。特に、羊水の音は、人が母胎内に抱き抱えられていた記憶に働きかけるものであり、使用者に対してより安心感を与えることができる。
【００１６】
さらに、請求項４に記載の抱き枕によれば、抱き枕本体を低反発素材で形成したことにより、当該低反発素材のフィット感から人肌に触れる感覚を得ることができ、当該抱き枕に触れた使用者は、他者と添い寝している感覚を触覚からも得ることができる。
【図面の簡単な説明】
【００１７】
【図１】本考案に係る抱き枕の構造を示す斜視図である。
【図２】当該抱き枕の構造を示すＡ−Ａ断面図である。
【図３】当該抱き枕の使用状態を示す図である。
【図４】第二の実施例に係る抱き枕の構造を示す斜視図である。
【図５】その他エアバッグの形状を示す斜視図である。
【考案を実施するための形態】
【００１８】
以下、図面に基づいて本考案を具体的に説明する。まず、図１は、本考案に係る抱き枕１の構造を示す斜視図であり、図２は、当該抱き枕の構造を示すＡ−Ａ断面図である。当該抱き枕１は、基本的には、綿状繊維体２を内側に備えたエアバッグ３と、当該エアバッグ３の表面に設けたクッション性素材の抱き枕本体４と、前記エアバッグ３にエアを給排気するエアポンプ５と、当該エアポンプ５への給排気を制御する制御部６とから構成されている。なお、当該図１に示す抱き枕１は、エアバッグ３にエアが供給されたものであり、当該綿状繊維体２は、図２にのみ示す。
【００１９】
前記綿状繊維体２は、エアバッグ３にエアが供給されるまで、又はエアが排出された後、中空のマカロニ状に形成された樹脂綿によって構成され、当該筒状の外側周面が前記エアバッグ３の内側面に当接するように設けられている。そして、図２に示すように、マカロニ状の樹脂綿からなる綿状繊維体２は、エアバッグ３にエアが供給されるに伴って膨張し、エアバッグ３の内部に充満する。
【００２０】
前記エアバッグ３は、最大膨張時に略円柱状になる袋体で形成され、前記綿状繊維体２を内部に備えることにより、エアが供給されていない通常時においても、完全にエアバッグ３が収縮して萎びることなく、約５０％のエアの充填率を維持することができるように構成されている。すなわち、前記綿状繊維体２は、マカロニ状の樹脂綿に限られるものではなく、エアバッグ３にエアポンプ５からエアが供給されていない状態において約５０％のエアの充填率を維持することができる綿状繊維体２であればどのようなものであってもよく、また、当該エア充填率も最適を約５０％とするものの、約５０％に限られるものではなく、使用者が当該抱き枕１によって他者と添い寝している感覚を得ることができる程度のエア充填率を確保できればよい。
【００２１】
また、前記抱き枕本体４は、低反発ウレタン等の低反発素材といったクッション性素材で、弧状に湾曲した棒状に形成され、前記エアバッグ３の表面を覆うように設けられている。当該低反発素材で形成された抱き枕本体４により、使用者は、抱き枕１に触れた際にフィット感を感じ、人肌に触れる感覚を得ることができる。なお、本実施例の抱き枕１では、抱き枕本体４によってエアバッグ３を完全に被覆しているが、このように完全に被覆せずとも、エアバッグ３の一部表面にクッション性素材の抱き枕本体４を設け、その部分にのみ使用者が触れてフィット感から人肌を感じるように構成してもよい。
【００２２】
前記エアポンプ５は、制御部６により制御され、エアホース７を介して給排気される。当該エアポンプ５は、図１に示すように、前記抱き枕本体４の外部に設けてもよいが、当該抱き枕本体４に内蔵させて抱き枕１全体をコンパクトに使用可能に構成してもよい。なお、図示はしないが、当該エアポンプ５には、その他電源や操作ボタン等、従来のエアポンプ５と同様、当該エアポンプ５の駆動に必要な構成も存する。
【００２３】
また、当該エアポンプ５は、前記制御部６によって前記エアポンプ５からのエアの給排気が制御されている。具体的には、当該エアポンプ５は、前記エアバッグ３の膨縮時のエア充填率の範囲を約５０％〜８０％とし、且つ、４秒間の給気時間と６秒間排気時間とを反復させることによって当該エアバッグを前記範囲内で繰り返しエアバッグ３を膨縮させるように制御部６によって制御されている。
【００２４】
このように、エアバッグ３のエア充填率の範囲を約５０％〜８０％にしたのは、一般成人の呼吸時の肺の膨縮運動に近い充填率でエアバッグ３を膨縮させるためであり、また、４秒間の給気時間と６秒間排気時間とを反復させ、すなわち、給気時間と排気時間とを合わせた約１０秒の間隔で反復して膨縮するように構成したのは、一般成人の呼吸間隔である３．３秒〜４秒に比べて約２〜３倍の長さで比較的ゆっくりとした膨縮運動をエアバッグ３にさせるためである。
【００２５】
図３は、当該抱き枕１の使用状態を示す図である。図３に示すように、当該抱き枕１は、前記抱き枕本体４にカバー８を被覆して使用する。使用者がエアポンプ５のスイッチをＯＮにすると、エアバッグ３にはエアが給排気され、比較的ゆっくりとした間隔で呼吸するかのように膨縮運動を行う。また、使用者と当接する抱き枕１の表面は、カバー８を介して抱き枕本体４の表面にフィットするものである。そのため、使用者は、人肌と接するかのような感覚を得ることができる。
【００２６】
このように、当該抱き枕１によれば、使用者は、一般成人の肺に近いエアバッグ３へのエアの充填率、一般成人の呼吸間隔よりも比較的ゆっくりとしたエアバッグ３の膨縮運動、そして、抱き枕本体４の低反発素材により、抱付いての就寝時に、他者と添い寝しているかのような安心感又はリラックス感を得ることができる。これにより、当該抱き枕は、使用者に対して心地の良い眠りを提供することができる。
【００２７】
なお、本実施例では、当該エアバッグ３の膨縮時のエア充填率の範囲を、一般成人の呼吸時の肺の膨縮運動に近づけるべく、より最適な約５０％〜８０％としたが、使用者の嗜好によっては、当該エア充填率を約５０％〜１００％の範囲としても、一般成人の呼吸時の肺の膨縮運動を当該エアバッグ３の膨縮から感じることはでき、当該抱き枕１の使用時に他者と添い寝している感覚を得ることは可能である。
【００２８】
なお、本実施例では、エアの給気時間と排気時間を夫々４秒と６秒に設定したが、夫々約３〜７秒間の給気時間と排気時間とを反復させ、すなわち、給気時間と排気時間とを合わせた約６秒〜１４秒の間隔で反復して膨縮するように構成してもよい。当該エアバッグ３の吸排気時間によっても、一般成人の呼吸間隔３．３秒〜４秒に比べると約２〜４倍の長さで比較的ゆっくりとした膨縮運動をエアバッグ３が行うため、上記と同様、他者と添い寝しているという安心感だけでなく、さらなる安心感とリラックス感をも得ることができる。また、当該作用以外にも、エアの給排気により、前記エアバッグ３が膨張する給気時間で使用者の筋肉を緊張させ、排気時間で当該緊張を解くという所謂筋弛緩法を用いることで、リラックス効果を得て使用者に睡眠を促すこともできる。
【００２９】
次に、第二実施例の抱き枕１について説明する。図４は、当該第二実施例の抱き枕１の構造を示す斜視図である。当該第二実施例の抱き枕１は、前記実施例の抱き枕１と基本的には同じ構成であるところ、第二実施例の抱き枕１には、前記実施例の抱き枕１と異なり、音声主力部９が設けられている。
【００３０】
当該音声出力部９は、記憶媒体等に記憶させた音声等を出力するように構成される。当該音声主力部９からは、羊水の音又は心拍音等の人体から発せられる音が出力され、他者と添い寝しているという感覚を使用者の聴覚からも得ることができる。特に、羊水の音は、人が母胎内に抱き抱えられていた記憶に働きかけるものであり、使用者に対してより安心感を与えることができる。なお、当該音声出力部９から出力される音声として、羊水の音又は心拍音はあくまで例示であり、その他人体から発せられる音であればどのようなものであってもよい。また、人体から発せられる音の他、流水のせせらぎ音や森に吹く風の音等、リラックス可能な自然の音等を出力させることも可能である。
【００３１】
前記実施例では、エアバッグ３を膨張時円柱状に形成したが、図５に示すように、エアバッグ３の膨張時に断面鏡餅状の二層構造、その他図示はしないが多層構造になるように形成してもよい。なお、当該図５では、エアバッグ３のみを表示し、抱き枕本体４を表示しない。当該二層構造のエアバッグ３の表面に抱き枕本体４を被覆することにより、当該抱き枕１において、二層構造のエアバッグ３にエアを供給すると積層方向（図中の矢印Ａ）への押圧力が増加する。そして、例えば、抱き枕１の当該押圧方向（図中の矢印Ａ）の表面を人の胸に見立てると、当該抱き枕１を使用することにより、恰も呼吸によって上下する人の胸に抱き抱えられているような感覚を得ることができ、前記実施例とは嗜好の異なる感覚で安心感を得ることができる。
【産業上の利用可能性】
【００３２】
当該抱き枕１では、芳香剤を内蔵させて使用者の嗜好に合った匂いを発散させることも可能である。例えば、使用者自身の母親を思い起こす匂い、赤ちゃんの匂い、或いは、使用者の大事な人が使っていた香水の匂い等、ある特定の他者を連想させる匂いを発散させることで、嗅覚からも安心感を得ることができる。これにより、当該抱き枕１は、さらに心地の良い眠りを使用者に提供することができる。
【符号の説明】
【００３３】
１  抱き枕
２  綿状繊維体
３  エアバッグ
４  抱き枕本体
５  エアポンプ
６  制御部
７  エアホース
８  カバー
９  音声出力部
Ａ  矢印
【図１】
0003194451.tif 000003
【図２】
0003194451.tif 000004
【図３】
0003194451.tif 000005
【図４】
0003194451.tif 000006
【図５】
0003194451.tif 000007